(57)【特許請求の範囲】
【請求項１】
泡を攪拌する攪拌機構と、前記攪拌機構により攪拌された泡が通過する開口を形成するヘッドケースとを備え、
前記ヘッドケースは前記ヘッドケースに対する回転が可能な状態で前記攪拌機構を支持する支持部を備え、
前記攪拌機構は、発泡剤と水との混合物が通過する放出口が形成される基盤、および、前記基盤における前記開口側の面である表面に形成される羽根を備える
美容装置のヘッド。
【請求項２】
前記放出口が前記基盤の中心部に形成され、
複数の前記羽根が前記放出口まわりに放射状に形成される
請求項１に記載の美容装置のヘッド。
【請求項３】
前記攪拌機構を貫通する還元口が前記基盤の外周部分に形成される
請求項１または２に記載の美容装置のヘッド。
【請求項４】
前記支持部は前記攪拌機構が前記ヘッドケースに対して前記開口に接近する方向および前記開口から離間する方向に移動できるように前記攪拌機構を支持する
請求項１〜３のいずれか一項に記載の美容装置のヘッド。
【請求項５】
泡を攪拌する攪拌機構と、前記攪拌機構により攪拌された泡が通過する開口を形成するヘッドケースとを備え、
前記ヘッドケースは前記攪拌機構の周囲を覆う筒を含み、
前記開口は前記筒の端部に形成される
美容装置のヘッド。
【請求項６】
前記ヘッドケースは前記ヘッドケースに対する回転および移動の少なくとも一方の動作が可能な状態で前記攪拌機構を支持する支持部を備える
請求項５に記載の美容装置のヘッド。
【請求項７】
泡を攪拌する攪拌機構と、前記攪拌機構により攪拌された泡が通過する開口を形成するヘッドケースとを備え、
前記ヘッドケースは前記ヘッドケースに対する移動が可能な状態で前記攪拌機構を支持する支持部を備え、
前記支持部は前記攪拌機構が前記ヘッドケースに対して前記開口に接近する方向および前記開口から離間する方向に移動できるように前記攪拌機構を支持する
美容装置のヘッド。
【請求項８】
前記開口から離間する方向に前記攪拌機構を押す弾性部材をさらに備える
請求項７に記載の美容装置のヘッド。
【請求項９】
前記ヘッドケースは前記攪拌機構が前記開口から突出しないように前記攪拌機構の位置を規制する規制部を備える
請求項１〜８のいずれか一項に記載の美容装置のヘッド。
【請求項１０】
請求項１〜９のいずれか一項に記載のヘッドである第１のヘッド、および、前記第１のヘッドとは異なる構造を備える第２のヘッドを取り付けおよび取り外し可能なヘッド装着部と、
前記第１のヘッドまたは前記第２のヘッドにトルクを与える駆動源と、
前記第１のヘッドにトルクを伝達する第１の伝達機構と、
前記第２のヘッドにトルクを伝達する第２の伝達機構とを備え、
前記第１の伝達機構が前記第１のヘッドに伝達する回転速度は前記第２の伝達機構が前記第２のヘッドに伝達する回転速度よりも高い
美容装置の本体。
【請求項１１】
請求項１〜９のいずれか一項に記載のヘッドと、
前記ヘッドを取り付けおよび取り外し可能なヘッド装着部、および、前記ヘッドを駆動する駆動力を出力する駆動源を備える本体とを備える
美容装置。
【請求項１２】
泡を攪拌する攪拌機構と、前記攪拌機構により攪拌された泡が通過する開口を形成するヘッドケースとを備える第１のヘッド、および、前記第１のヘッドとは異なる構造を備える第２のヘッドを取り付けおよび取り外し可能なヘッド装着部と、
前記第１のヘッドまたは前記第２のヘッドにトルクを与える駆動源と、
前記第１のヘッドにトルクを伝達する第１の伝達機構と、
前記第２のヘッドにトルクを伝達する第２の伝達機構とを備え、
前記第１の伝達機構が前記第１のヘッドに伝達する回転速度は前記第２の伝達機構が前記第２のヘッドに伝達する回転速度よりも高い
美容装置の本体。
【請求項１３】
泡を攪拌する攪拌機構と、前記攪拌機構により攪拌された泡が通過する開口を形成するヘッドケースとを備えるヘッドと、
前記ヘッドを取り付けおよび取り外し可能なヘッド装着部、および、前記ヘッドを駆動する駆動力を出力する駆動源を備える本体とを備える
美容装置。
【請求項１４】
前記本体が請求項１２に記載の本体である
請求項１３に記載の美容装置。
【請求項１５】
泡を生成する泡生成機構と、
前記泡生成機構により生成された泡を攪拌する攪拌機構、および、前記攪拌機構により攪拌された泡が通過する開口を形成するヘッドケースを含むヘッドとを備える
美容装置。
【請求項１６】
前記ヘッドケースが取り付けられる本体をさらに備え、
前記本体は前記泡生成機構を収容する
請求項１５に記載の美容装置。
【発明の詳細な説明】
【技術分野】
【０００１】
本発明は美容装置、その本体、および、そのヘッドに関する。
【背景技術】
【０００２】
特許文献１の吐出容器は、液体の発泡剤を収容する容器、および、その容器に装着されるブラシを備える。この吐出容器によれば、容器に溜められた発泡剤が空気と混合され、空気と混合された発泡剤がメッシュ体を通過することにより泡が生成され、生成された泡がブラシに供給される。
【先行技術文献】
【特許文献】
【０００３】
【特許文献１】特開２００８−２９６９６５号公報
【発明の概要】
【発明が解決しようとする課題】
【０００４】
上記吐出容器の用途として例えば肌の洗浄が考えられる。この場合、泡が供給されたブラシが肌に押し当てられ、ブラシが肌に対して移動させられることにより、肌の汚れが除去される。しかし、ユーザーがブラシを肌に強く押し付けた場合、肌に強い刺激が与えられるおそれがある。
【０００５】
本発明の目的は、肌を洗浄する機能を備え、肌に強い刺激を与えにくい美容装置、その本体、および、そのヘッドを提供することである。
【課題を解決するための手段】
【０００６】
本発明に従う美容装置のヘッドの一形態は、泡を攪拌する攪拌機構と、前記攪拌機構により攪拌された泡が通過する開口を形成するヘッドケースとを備える。
【発明の効果】
【０００７】
上記美容装置、その本体、および、そのヘッドによれば、肌を洗浄する機能を備え、肌に強い刺激を与えにくい。
【図面の簡単な説明】
【０００８】
【図１】は実施の形態の美容装置の正面図である。
【図２】は図１の美容装置の側面図である。
【図３】は図１のＤ３−Ｄ３線に沿う断面図である。
【図４】は図３の駆動機構の分解斜視図である。
【図５】は図２の蓋が開放された状態の美容装置の背面図である。
【図６】は図４の駆動機構の一部が省略された状態の平面図である。
【図７】は図１の第１のヘッドの斜視図である。
【図８】は図７のＤ８−Ｄ８線に沿う断面図である。
【図９】は図１の第１のヘッドが本体に装着された状態の平面図である。
【図１０】は図９から攪拌機構が省略された状態の第１のヘッドの平面図である。
【図１１】は実施の形態の第２のヘッドの斜視図である。
【図１２】は図１１のＤ１２−Ｄ１２線に沿う断面図である。
【図１３】は実施の形態のヘッドキャップの正面図である。
【図１４】は図１３のＤ１４−Ｄ１４線に沿う断面図である。
【発明を実施するための形態】
【０００９】
（美容装置、その本体、および、そのヘッドが取り得る形態の一例）
〔１〕本発明に従う美容装置のヘッドの一形態は、泡を攪拌する攪拌機構と、前記攪拌機構により攪拌された泡が通過する開口を形成するヘッドケースとを備える。
【００１０】
本美容装置のヘッドが例えば美容装置の本体に取り付けて使用される場合、美容装置の本体から攪拌機構に泡が供給される。攪拌機構に供給された泡が攪拌機構と肌との間に存在する状態において、その泡が攪拌機構により攪拌され、攪拌機構と肌との間で泡が動くことにより、肌の汚れが泡により除去される。このように、上記美容装置のヘッドによれば、肌の汚れを除去することに対して、攪拌機構により形成される泡の動きが大きく寄与する。このため、例えばブラシを肌に強く押し付けて汚れを除去する方法と比較して、肌に強い刺激を与えにくい。
【００１１】
〔２〕前記美容装置のヘッドの一例によれば、前記ヘッドケースは前記ヘッドケースに対する回転および移動の少なくとも一方の動作が可能な状態で前記攪拌機構を支持する支持部を備える。
【００１２】
本美容装置のヘッドによれば、攪拌機構がヘッドケースに対して回転および移動の少なくとも一方の動作を形成することにより泡が攪拌される。このため、例えば空気の流れを利用して泡が攪拌される場合と比較して、攪拌機構に供給された泡が均等に攪拌されやすい。
【００１３】
〔３〕前記美容装置のヘッドの一例によれば、前記ヘッドケースは前記攪拌機構が前記開口から突出しないように前記攪拌機構の位置を規制する規制部を備える。
本美容装置のヘッドによれば、開口が肌を向くようにヘッドケースが肌に接触した場合、攪拌機構がヘッドケースと肌との接触面よりも肌から離れた位置に存在する。このため、攪拌機構が肌に接触しにくい。このため、攪拌機構が肌に刺激を与えるおそれが低減される。
【００１４】
〔４〕前記美容装置のヘッドの一例によれば、前記支持部は前記ヘッドケースに対する回転が可能な状態で前記攪拌機構を支持し、前記攪拌機構は、発泡剤と水との混合物が通過する放出口が形成される基盤、および、前記基盤における前記開口側の面である表面に形成される羽根を備える。
【００１５】
本美容装置のヘッドが例えば美容装置の本体に取り付けて使用される場合、美容装置の本体から攪拌機構に供給される発泡剤と水との混合物の一例である泡が基盤の放出口を通過し、基盤の表面側に供給される。基盤の表面側に存在する泡は羽根により攪拌される。このため、攪拌機構に供給された泡が均等に攪拌されやすい。
【００１６】
〔５〕前記美容装置のヘッドの一例によれば、前記放出口が前記基盤の中心部に形成され、複数の前記羽根が前記放出口まわりに放射状に形成される。
本美容装置のヘッドによれば、基盤の中心部に形成される放出口から基盤の表面側に泡が供給されるため、基盤の表面側の各部分に均等に泡が供給されやすい。また、基盤の表面側に供給された泡が放射状に形成される複数の羽根により攪拌されるため、泡が一層均等に攪拌されやすい。
【００１７】
〔６〕前記美容装置のヘッドの一例によれば、前記攪拌機構を貫通する還元口が前記基盤の外周部分に形成される。
発泡剤と水とが十分に混合されていない状態で泡が生成されることがある。その泡は発泡剤と水とが十分に混合されることにより生成された泡と比較して重い。本美容装置のヘッドによれば、そのような重い泡が攪拌機構の表面側に供給された場合、その泡が攪拌機構の回転にともない遠心力により還元口を通過して攪拌機構の裏側に流れる。このため、攪拌機構の表面に重い泡が溜まりにくい。なお、発泡剤と水とが十分に混合されずに液体が生成され、その液体が攪拌機構の表面側に供給された場合においても同様の効果が得られる。
【００１８】
〔７〕前記美容装置のヘッドの一例によれば、前記支持部は前記攪拌機構が前記ヘッドケースに対して前記開口に接近する方向および前記開口から離間する方向に移動できるように前記攪拌機構を支持する。
【００１９】
本美容装置のヘッドによれば、ヘッドケースに対して攪拌機構が移動することにより、攪拌機構の表面側に供給された泡が攪拌される。このため、攪拌機構と肌との間で泡が動くことにより、肌の汚れが泡により除去される。
【００２０】
〔８〕前記美容装置のヘッドの一例によれば、前記開口から離間する方向に前記攪拌機構を押す弾性部材をさらに備える。
本美容装置のヘッドによれば、攪拌機構が弾性部材により押されるため、攪拌機構の裏面側に多量の泡が滞留していてもヘッドケースに対する攪拌機構の移動が妨げられにくい。このため、攪拌機構による泡を攪拌する機能が低下するおそれが低減される。
【００２１】
〔９〕本発明に従う美容装置の本体の一形態は、上記〔１〕〜〔８〕のいずれかに記載のヘッドである第１のヘッド、および、前記第１のヘッドとは異なる構造を備える第２のヘッドを取り付けおよび取り外し可能なヘッド装着部と、前記第１のヘッドまたは前記第２のヘッドにトルクを与える駆動源と、前記第１のヘッドにトルクを伝達する第１の伝達機構と、前記第２のヘッドにトルクを伝達する第２の伝達機構とを備え、前記第１の伝達機構が前記第１のヘッドに伝達する回転速度は前記第２の伝達機構が前記第２のヘッドに伝達する回転速度よりも高い。
【００２２】
本美容装置の本体によれば、第１のヘッドが装着された場合、駆動源のトルクが第１の伝達機構により第１のヘッドに伝達され、攪拌機構が動作する。また、本美容装置の本体によれば、第１のヘッドに代えて第２のヘッドを装着できる。第２のヘッドが本体に装着された場合、駆動源のトルクが第２の伝達機構により第２のヘッドに伝達され、第２のヘッドの機能部品が攪拌機構よりも低い回転速度で回転する。このように、第１のヘッドの攪拌機構が第２のヘッドの機能部品よりも高い速度で回転するため、回転速度の関係がこれ以外の関係に設定される場合と比較して、攪拌機構に供給された泡がより確実に攪拌される。
【００２３】
〔１０〕本発明に従う美容装置の一形態は、上記〔１〕〜〔８〕のいずれかに記載のヘッドと、前記ヘッドを取り付けおよび取り外し可能なヘッド装着部、および、前記ヘッドを駆動する駆動力を出力する駆動源を備える本体とを備える。
【００２４】
本美容装置によれば、上記〔１〕〜〔８〕により得られる効果と実質的に同様の効果が得られる。
〔１１〕前記美容装置の一例によれば、前記本体が上記〔９〕に記載の本体である。
【００２５】
本美容装置によれば、上記〔１〕〜〔９〕により得られる効果と実質的に同様の効果が得られる。
（実施の形態）
図１は主に顔の洗浄に用いられる手持ち型の美容装置１の外観を示す。美容装置１は、美容装置１を構成する各種の要素を備える本体１０、ならびに、本体１０に対する着脱が可能な複数のヘッドを備える。複数のヘッドの一例は、図７に示される第１のヘッド１００、および、図１１に示される第２のヘッド２００である。第１のヘッド１００は、洗浄される部位である対象部位に泡を供給し、その泡を攪拌することにより対象部位の汚れの除去を促進させる。第２のヘッド２００は、泡が供給された対象部位をブラシにより擦ることにより対象部位の汚れの除去を促進させる。
【００２６】
美容装置１は本体１０に装着されるヘッドの種類に応じて複数の形態を取り得る。図１に示される美容装置１は本体１０に第１のヘッド１００が装着された第１の形態である。なお、添付された図面は、本体１０に第２のヘッド２００が装着された第２の形態を省略している。
【００２７】
本体１０は、駆動源１４（図３参照）等の各種の要素を内部に収容するハウジング１１、ハウジング１１の頂部に嵌め込まれるキャップ１２、美容装置１を駆動させるために操作される操作部２０、および、熱を出力する温熱機構３０を備える。温熱機構３０はハウジング１１の底部に配置される。
【００２８】
ハウジング１１は防水構造を備え、グリップとして利用される。図２に示されるとおり、ハウジング１１はハウジング１１の頂部がハウジング１１のグリップ部分に対して屈曲している。このため、ユーザーはハウジング１１のグリップ部分を握った場合、第１のヘッド１００または第２のヘッド２００（図１１参照）を肌に当てやすい。
【００２９】
ハウジング１１の内部に発泡剤を注入するための注入口１８（図５参照）がハウジング１１の背面に形成される。美容装置１に用いられる発泡剤は、例えば液状、ジェル状、チューブ状、または、固体状等の材料であり、その一例は市販されるチューブ状の洗顔料である。本体１０はさらに、この注入口１８を閉じるための蓋１７を備える。蓋１７は取手１７Ａを備える。取手１７Ａが引かれることにより蓋１７がハウジング１１から離れ、注入口１８が開放される。
【００３０】
操作部２０の形態の一例はボタンである。操作部２０は、駆動源１４（図３参照）のオンおよびオフを切り替える第１の操作部２１、ならびに、温熱機構３０のオンおよびオフを切り替える第２の操作部２２を備える。一例では、第１の操作部２１がハウジング１１のうちのキャップ１２側に形成され、第２の操作部２２がハウジング１１のうちの温熱機構３０側に形成される。
【００３１】
第１の操作部２１が操作されることにより、駆動源１４をオフからオンに切り替えるための操作信号であるオン信号、または、駆動源１４をオンからオフに切り替えるための操作信号であるオフ信号が第１の操作部２１から出力される。第２の操作部２２が操作されることにより、温熱機構３０をオフからオンに切り替えるための操作信号であるオン信号、または、温熱機構３０をオンからオフに切り替えるための操作信号であるオフ信号が第２の操作部２２から出力される。
【００３２】
図３は美容装置１の内部構造を示す。本体１０は、一次電池または二次電池の電力を各電気ブロックに供給する電源部１３、電源部１３から供給される電力により駆動する駆動源１４、駆動源１４を保持する基台１５、および、複数の機械要素により構成される駆動機構４０をさらに備える。駆動源１４の一例はモーターであり、その出力軸１４Ａが駆動機構４０の一部と接続される。
【００３３】
本体１０はさらに、駆動源１４および温熱機構３０を制御する制御部１６を備える。制御部１６は、第１の操作部２１または第２の操作部２２から出力される操作信号に基づいて駆動源１４および温熱機構３０を制御する。制御部１６は、駆動源１４および温熱機構３０の一方が駆動している場合に駆動源１４および温熱機構３０の他方を駆動させない禁止制御を実行する。
【００３４】
制御部１６は、例えば駆動源１４が駆動している場合に温熱機構３０の駆動を禁止するフラグ、または、温熱機構３０が駆動している場合に駆動源１４の駆動を禁止するフラグをフラッシュメモリ等の記憶素子（図示略）に記憶する。そして、制御部１６はこのフラグに基づいて禁止制御を実行する。
【００３５】
温熱機構３０は、ハウジング１１の底部に形成される温熱面３６、電源部１３から供給される電力により駆動するヒーター３１、ヒーター３１を保持する基台３２、および、ヒーター３１の熱を温熱面３６に伝達する伝熱板３３を備える。温熱機構３０はさらに、ヒーター３１の温度を制御するサーミスタ３４、および、ヒーター３１に力を付与することによりヒーター３１を伝熱板３３に押し付けるばね３５を備える。
【００３６】
図４は分解された駆動機構４０の斜視図である。駆動機構４０は、泡を生成して第１のヘッド１００（図１参照）に供給する泡生成機構８０、駆動源１４の駆動力を泡生成機構８０に伝達する第１の伝達ブロック５０、および、駆動源１４の駆動力を第１のヘッド１００に伝達する第２の伝達ブロック９０を備える。
【００３７】
泡生成機構８０は、発泡剤および水を攪拌することにより泡を生成する第１のローター８１および第２のローター８２、ならびに、発泡剤および水を貯留可能な空間８３Ａを有する容器８３を備える。第１のローター８１および第２のローター８２は容器８３の空間８３Ａに配置され、互いに反対方向に回転する。図５に示されるように、空間８３Ａは本体１０の注入口１８と連通している。
【００３８】
図４に示されるように、第１の伝達ブロック５０は、複数のギアの集合体であるギア群６０、ギア群６０を支持する軸の集合体である支持軸群７０、ギア群６０を収容するギアケース５１、および、液体等がギアケース５１内に流れ込むことを妨げる２つのパッキン５２を備える。ギアケース５１は基台１５と結合される。
【００３９】
ギア群６０は回転駆動ギア６１、複合ギア６２、回転変更ギア６３、第１の回転伝達ギア６４、および、第２の回転伝達ギア６５を含む。複合ギア６２は直径が異なる２つのギア、すなわち、第１の複合ギア６２Ａおよび第２の複合ギア６２Ｂを含む。
【００４０】
支持軸群７０は、複合ギア６２と結合する第１の支持軸７１、回転変更ギア６３と結合する第２の支持軸７２、第１の回転伝達ギア６４と結合する第３の支持軸７３、および、第２の回転伝達ギア６５と結合する第４の支持軸７４を含む。
【００４１】
一方のパッキン５２は第３の支持軸７３が通過するギアケース５１の穴に取り付けられる。他方のパッキン５２は第４の支持軸７４が通過するギアケース５１の穴に取り付けられる。このため、容器８３からギアケース５１に液体等が流れ込むことが妨げられる。
【００４２】
ギア群６０は以下の２つの動力の伝達経路を形成する。
１つ目の動力の伝達経路は次のとおり形成される。駆動源１４の出力軸１４Ａは回転駆動ギア６１を支持する。出力軸１４Ａおよび回転駆動ギア６１は一体的に回転する。回転駆動ギア６１は第１の複合ギア６２Ａと噛み合わせられる。第１の複合ギア６２Ａは第１の回転伝達ギア６４と噛み合わせられる。第１の回転伝達ギア６４および第３の支持軸７３は一体的に回転する。第３の支持軸７３は第１のローター８１を支持する。第３の支持軸７３および第１のローター８１は一体的に回転する。
【００４３】
出力軸１４Ａおよび回転駆動ギア６１が回転することにより、回転駆動ギア６１、第１の複合ギア６２Ａ、第１の回転伝達ギア６４、および、第１のローター８１の順に回転が伝達される。一例では、各ギア６１、６２Ａ、６４は出力軸１４Ａの回転を減速して第１のローター８１に伝達する。
【００４４】
２つ目の動力の伝達経路は次のとおり形成される。回転駆動ギア６１と噛み合わせられた第１の複合ギア６２Ａと第２の複合ギア６２Ｂとは一体的に回転する。第２の複合ギア６２Ｂは回転変更ギア６３と噛み合わせられる。回転変更ギア６３は第２の回転伝達ギア６５と噛み合わせられる。第２の回転伝達ギア６５および第４の支持軸７４は一体的に回転する。第４の支持軸７４は第２のローター８２を支持する。第４の支持軸７４および第２のローター８２は一体的に回転する。
【００４５】
出力軸１４Ａおよび回転駆動ギア６１が回転することにより、回転駆動ギア６１、第１の複合ギア６２Ａ、第２の複合ギア６２Ｂ、回転変更ギア６３、第２の回転伝達ギア６５、および、第２のローター８２の順に回転が伝達される。一例では、各ギア６１、６２Ａ、６２Ｂ、６３、６５は出力軸１４Ａの回転を減速して第２のローター８２に伝達する。
【００４６】
第１のローター８１は、第３の支持軸７３と結合される基部８１Ａ、基部８１Ａから概ね放射状に伸びる複数のアーム８１Ｂ、および、各アーム８１Ｂの先端部分から上方に突出する柱８１Ｃを備える。複数のアーム８１Ｂの付根は基部８１Ａの周方向において等間隔に形成される。アーム８１Ｂおよび柱８１Ｃは発泡剤等の攪拌を促進することに寄与する。
【００４７】
第２のローター８２は、第４の支持軸７４と結合される基部８２Ａ、基部８２Ａから概ね放射状に伸びる複数のアーム８２Ｂ、各アーム８２Ｂの先端部分から上方に突出する柱８２Ｃ、および、基部８２Ａと結合される回転伝達ギア８２Ｄを備える。複数のアーム８２Ｂの付根は基部８２Ａの周方向において等間隔に形成される。アーム８２Ｂおよび柱８２Ｃは発泡剤等の攪拌を促進することに寄与する。回転伝達ギア８２Ｄは第２の伝達ブロック９０の一部と噛み合わせられる。
【００４８】
第２の伝達ブロック９０は、第１のヘッド１００（図１参照）にトルクを伝達する第１の伝達機構であるカムギア９１、および、第２のヘッド２００（図１１参照）にトルクを伝達する第２の伝達機構であるリングギア９３を備える。第２の伝達ブロック９０はさらに、リングギア９３と噛み合う複数のプラネタリギア９２、第１のヘッド１００および第２のヘッド２００の着脱が可能なヘッド装着部９４、ならびに、カムギア９１を支持する軸受９４Ｂを備える。
【００４９】
ヘッド装着部９４は、第１のヘッド１００に形成される凹部１２３（図８参照）に嵌め合わせられる複数の凸部９４Ａ、および、各ギア９１、９２、９３等を収容する空間である収容空間９４Ｃを備える。軸受９４Ｂは収容空間９４Ｃに配置され、ヘッド装着部９４に固定される。カムギア９１は軸受９４Ｂに対する回転が可能な状態で軸受９４Ｂに支持される。カムギア９１および軸受９４Ｂは中空状の要素である。これらの要素の内部に形成される空間は容器８３の空間８３Ａと連通している。
【００５０】
第２の伝達ブロック９０はさらに、各ギアを覆うギアカバー９５、ギアカバー９５の穴（図示略）に挿入されるピン９６、および、ギアカバー９５の上面に配置されるリング９７を備える。ギアカバー９５およびリング９７は、ねじ９８によりヘッド装着部９４に固定される。リング９７は例えば液体等がギアカバー９５内に流れ込むことを妨げる役割、および、ピン９６がカムギア９１の径方向に抜けることを妨げる役割を持つ。
【００５１】
カムギア９１は、回転伝達ギア８２Ｄと噛み合うギア部９１Ａ、ギア部９１Ａの回転をヘッド装着部９４に対する上下方向の運動に変換するカム部９１Ｂ、および、ギア部９１Ａの回転を第１のヘッド１００に伝達する複数のフック９１Ｄを備える。カム部９１Ｂの外周に螺旋状の溝９１Ｃが形成される。
【００５２】
図６は第２の伝達ブロック９０を構成する各ギアの平面図である。回転伝達ギア８２Ｄはカムギア９１のギア部９１Ａ（図４参照）および１つのプラネタリギア９２と噛み合わせられる。各プラネタリギア９２はカムギア９１の周りにおいて等間隔に配置され、リングギア９３と噛み合わせられる。
【００５３】
リングギア９３は、ヘッド装着部９４の収容空間９４Ｃに配置され、ヘッド装着部９４に対する回転が可能な状態でヘッド装着部９４に支持される。図４に示されるように、リングギア９３の回転を第２のヘッド２００（図１１参照）に伝達する複数のフック９３Ａがリングギア９３に形成される。リングギア９３の回転速度はカムギア９１の回転速度よりも低い。このため、第２のヘッド２００が動作する速度は第１のヘッド１００が動作する速度よりも遅い。
【００５４】
ギアカバー９５はヘッド装着部９４に取り付けられることによりヘッド装着部９４の開口を閉じる。このため、カムギア９１、プラネタリギア９２、および、リングギア９３がギアカバー９５により覆われる。ピン９６はギアカバー９５に形成される穴にギアカバー９５の外周側から挿入される。ピン９６の先端部はカムギア９１の溝９１Ｃに挿入される。溝９１Ｃとピン９６との関係により、カムギア９１の回転にともないカムギア９１の軸方向に作用する力がカムギア９１に加えられ、カムギア９１がヘッド装着部９４に対して軸方向に移動する。
【００５５】
カムギア９１は、第１のヘッド１００または第２のヘッド２００に向かう方向である第１の軸方向、および、第１の軸方向と反対方向であり、本体１０の内部に向かう方向である第２の軸方向に移動する。ヘッド装着部９４に対するカムギア９１の軸方向の位置は第１の軸方向における限界の位置である第１の位置から第２の軸方向における限界の位置である第２の位置までの範囲内で変化する。
【００５６】
第１のヘッド１００が本体１０（図１参照）に装着された場合、フック９１Ｄがカムギア９１の周方向において攪拌機構１１０のフック１１５（図８参照）の側面と接触し、カムギア９１の頂部がカムギア９１の軸方向において攪拌機構１１０のフック１１５の底面と接触する。
【００５７】
このため、カムギア９１が回転することにともない、フック９１Ｄと攪拌機構１１０のフック１１５の側面との関係により攪拌機構１１０が回転する。また、カムギア９１が第１の軸方向に移動することにともない、カムギア９１の頂部と攪拌機構１１０のフック１１５の底面との関係により攪拌機構１１０が本体１０から離れる方向である第１の軸方向に押される。
【００５８】
一方、カムギア９１が第２の軸方向に移動する場合、攪拌機構１１０に作用する重力および第１のヘッド１００に配置される弾性部材１３０（図８参照）の反力の少なくとも一方の作用により、攪拌機構１１０が本体１０に近づく方向である第２の軸方向に移動する。すなわち、カムギア９１が回転することにより攪拌機構１１０がヘッドケース１２０に対して回転し、さらにヘッドケース１２０に対して軸方向に移動する。
【００５９】
このように、駆動源１４の駆動力が第１の伝達ブロック５０を介して泡生成機構８０に伝達され、さらに第２の伝達ブロック９０に伝達される。このため、第１のヘッド１００が本体１０（図１参照）に装着されることにより、駆動源１４の駆動力により泡生成機構８０および第１のヘッド１００の両方が駆動する。
【００６０】
図７は第１のヘッド１００の斜視図である。第１のヘッド１００は、泡を攪拌する攪拌機構１１０、および、泡が通過する開口１２１を形成するヘッドケース１２０を備える。ヘッドケース１２０は攪拌機構１１０の周囲を覆うように形成される。
【００６１】
攪拌機構１１０は駆動源１４（図４参照）の駆動力により駆動する。攪拌機構１１０は、発泡剤と水との混合物が通過する放出口１１２が形成される基盤１１１、および、基盤１１１における開口１２１側の面である表面に形成される複数の羽根１１３を備える。放出口１１２は例えば基盤１１１の中心部に形成される。複数の羽根１１３は放出口１１２まわりに放射状に形成され、その枚数の一例は８枚である。なお、発泡剤と水との混合物の一例は液体または泡である。発泡剤と水とが十分に混合されていない場合、混合物である液体および重い泡が生成され、発泡剤と水とが十分に混合されている場合、混合物である泡が生成される。重い泡は例えば液体を多く含む泡である。
【００６２】
図８は第１のヘッド１００の内部構造を示す。
基盤１１１はさらに、基盤１１１の外周部分から径方向外方に突出する嵌合部１１４、および、カムギア９１の複数のフック９１Ｄ（図４参照）と接触する複数のフック１１５をさらに備える。
【００６３】
ヘッドケース１２０はヘッドケース１２０に対する回転および移動が可能な状態で攪拌機構１１０を支持する支持部１２２、および、ヘッド装着部９４の複数の凸部９４Ａ（図４参照）に嵌め合わせられる複数の凹部１２３を備える。複数の凹部１２３はヘッドケース１２０の内周面に形成される。複数の凹部１２３が複数の凸部９４Ａに嵌め合わせられることにより第１のヘッド１００が本体１０（図１参照）に装着される。
【００６４】
支持部１２２は、ヘッドケース１２０の内周に沿って形成される溝１２２Ａ、溝１２２Ａの一方の端部を規定する第１の規制部１２２Ｂ、および、溝１２２Ａの他方の端部を規定する第２の規制部１２２Ｃを備える。
【００６５】
攪拌機構１１０の嵌合部１１４は溝１２２Ａに嵌め込まれる。攪拌機構１１０の軸方向における溝１２２Ａの寸法である溝幅は嵌合部１１４の厚さよりも長い。このため、嵌合部１１４は溝１２２Ａ内においてヘッドケース１２０に対して軸方向に移動できる。すなわち、攪拌機構１１０はヘッドケース１２０に対して開口１２１に接近する方向および開口１２１から離間する方向に移動できる。
【００６６】
嵌合部１１４が第１の規制部１２２Ｂまたは第２の規制部１２２Ｃと接触することによりヘッドケース１２０に対する攪拌機構１１０の位置が規制される。第１の規制部１２２Ｂは攪拌機構１１０が開口１２１から突出しないように攪拌機構１１０の位置を規制する。第２の規制部１２２Ｃは攪拌機構１１０がヘッドケース１２０から外れないように攪拌機構１１０の位置を規制する。一例では、ヘッドケース１２０の内周面に等間隔に形成される複数の突部により第２の規制部１２２Ｃが構成される。なお、第１の規制部１２２Ｂは規制部の一例である。
【００６７】
第１のヘッド１００が本体１０に装着された場合、対応するフック１１５の側面とフック９１Ｄの側面とが攪拌機構１１０の周方向において接触し、フック１１５の底面とカムギア９１の頂部とがカムギア９１の軸方向において接触する。このため、カムギア９１の回転および軸方向の移動が攪拌機構１１０に伝達される。このため、攪拌機構１１０はヘッドケース１２０に対して回転しながら軸方向に移動する。
【００６８】
第１のヘッド１００は、嵌合部１１４と第１の規制部１２２Ｂとの間に配置され、開口１２１から離間する方向に攪拌機構１１０を押す弾性部材１３０をさらに備える。弾性部材１３０の一例はばねである。
【００６９】
カムギア９１が開口１２１から最も離間した第２の位置に存在する場合、攪拌機構１１０が弾性部材１３０の反力により第２の規制部１２２Ｃに押し付けられる。カムギア９１が開口１２１に最も接近した第１の位置に存在する場合、攪拌機構１１０がカムギア９１から加えられる力により第１の規制部１２２Ｂに押し付けられる。カムギア９１の位置が第２の位置から第１の位置に近づくにつれて、攪拌機構１１０が弾性部材１３０の反力に抗して第１の規制部１２２Ｂに接近する。
【００７０】
図９は第１のヘッド１００が本体１０に装着された状態の第１のヘッド１００の平面を示す。攪拌機構１１０は放出口１１２から放出された液体または泡を容器８３に戻すための複数の還元口１１６をさらに備える。各還元口１１６は攪拌機構１１０を貫通する。一例では、基盤１１１の外周部分、かつ、隣り合う羽根１１３の間に各還元口１１６が形成される。
【００７１】
図１０は攪拌機構１１０が省略された状態の第１のヘッド１００の平面を示す。リング９７は還元口１１６（図９参照）を通過してリング９７上に移動した液体または泡を容器８３（図４参照）に戻すための穴９７Ａを備える。穴９７Ａはギアカバー９５（図３参照）に形成される還元通路９５Ａ（図３参照）と連通する。還元通路９５Ａはギアカバー９５を軸方向に貫通する。
【００７２】
図９に示される攪拌機構１１０と図１０に示されるリング９７との間に空間９７Ｂ（図３参照）が形成される。図９の各還元口１１６は基盤１１１の表面側の空間と空間９７Ｂとを連通する。図１０の穴９７Ａは空間９７Ｂとギアカバー９５の還元通路９５Ａとを連通する。還元通路９５Ａは穴９７Ａと容器８３の空間８３Ａとを連通する。このように、各還元口１１６は容器８３の空間８３Ａと連通する。
【００７３】
泡生成機構８０（図４参照）により生成された混合物である泡または液体は攪拌機構１１０の放出口１１２から攪拌機構１１０の表面側に放出される。混合物である液体および重い泡が放出口１１２から放出された場合、その液体および重い泡は基盤１１１の表面に溜まりやすい。基盤１１１の表面に滞留している液体および重い泡は攪拌機構１１０の回転にともない遠心力により攪拌機構１１０の外周部分に移動し、１つまたは複数の還元口１１６に流れる。還元口１１６を通過した液体および重い泡は空間９７Ｂ、穴９７Ａ、および、還元通路９５Ａの順に流れ、容器８３の空間８３Ａ内に戻される。空間８３Ａ内に戻された液体および重い泡は泡生成機構８０（図４参照）により再び攪拌される。
【００７４】
図１１は第２のヘッド２００の斜視図である。第２のヘッド２００に関する説明では、第１のヘッド１００と共通する構成に同一の符号が付され、その構成の説明の一部または全部が省略される。第２のヘッド２００は、対象部位の洗浄に用いられるブラシ機構２１０、および、泡が通過する開口２２１を形成するヘッドケース２２０を備える。ヘッドケース２２０はブラシ機構２１０の周囲を覆うように形成される。
【００７５】
図１２は第２のヘッド２００の内部構造を示す。ブラシ機構２１０は、泡が通過する放出口２１２Ａが形成される基盤２１１、基盤２１１の中心に形成される円筒２１２、および、基盤２１１における開口２２１側の面である表面に植えられるブラシ２１３を備える。円筒２１２の内部の空間である放出口２１２Ａは、基盤２１１のヘッドケース２２０の開口２２１側の空間と本体１０側の空間とを連通する。なお、ブラシ２１３の材質は柔らかいことが好ましい。
【００７６】
基盤２１１は、基盤２１１の外周部分に形成される部分である嵌合部２１４、および、リングギア９３の複数のフック９３Ａ（図４参照）と接触する複数のフック（図示略）をさらに備える。嵌合部２１４はヘッドケース２２０に形成される溝１２２Ａに嵌め込まれる。
【００７７】
ブラシ機構２１０の軸方向における溝１２２Ａの寸法である溝幅は嵌合部２１４の厚さよりも長い。このため、嵌合部２１４は溝１２２Ａ内においてヘッドケース２２０に対して軸方向に移動できる。すなわち、ブラシ機構２１０はヘッドケース２２０に対して開口２２１に接近する方向および開口２２１から離間する方向に移動できる。
【００７８】
嵌合部２１４が第１の規制部１２２Ｂまたは第２の規制部１２２Ｃと接触することによりヘッドケース２２０に対するブラシ機構２１０の位置が規制される。第１の規制部１２２Ｂはブラシ機構２１０が開口２２１から突出しないようにブラシ機構２１０の位置を規制する。第２の規制部１２２Ｃはブラシ機構２１０がヘッドケース２２０から外れないようにブラシ機構２１０の位置を規制する。
【００７９】
第２のヘッド２００は以下のように動作する。
第２のヘッド２００が本体１０（図１参照）に装着され、駆動源１４（図４参照）が駆動する場合、駆動源１４の駆動力が第１の伝達ブロック５０（図４参照）を介して泡生成機構８０（図４参照）に伝達され、さらに第２の伝達ブロック９０（図４参照）に伝達される。このため、駆動源１４の駆動力により泡生成機構８０および第２のヘッド２００の両方が駆動する。
【００８０】
第２のヘッド２００が本体１０に装着された場合、円筒２１２の底面とカムギア９１（図４参照）の頂部とがカムギア９１の軸方向において接触する。第１のヘッド１００が本体１０に装着された場合と異なり、カムギア９１のフック９１Ｄ（図４参照）の側面はカムギア９１の周方向においてブラシ機構２１０と接触しない。このため、カムギア９１の回転および軸方向の移動のうち、軸方向の移動だけがブラシ機構２１０に伝達される。
【００８１】
第２のヘッド２００が本体１０に装着された場合、さらに基盤２１１のフックの側面とリングギア９３のフック９３Ａの側面とがカムギア９１の周方向において接触する。このため、リングギア９３の回転がブラシ機構２１０に伝達される。リングギア９３の回転速度はカムギア９１の回転速度よりも遅いため、カムギア９１が同じ回転速度で回転する条件のもとでは、ブラシ機構２１０が攪拌機構１１０よりも遅い回転速度で回転する。
【００８２】
図１３および図１４は本体１０に装着されるヘッドキャップ３００を示す。ヘッドキャップ３００は、第１のヘッド１００（図１参照）および第２のヘッド２００（図１１参照）が装着されていない本体１０（図１参照）に装着される。
【００８３】
ヘッドキャップ３００は、水を計量するための計量部３０１、計量部３０１に溜められた水を注ぐための注ぎ口３０２、本体１０の内部と外部とを通気する通気孔３０３、および、ヘッド装着部９４の複数の凸部９４Ａ（図４参照）に嵌め合わせられる複数の凹部３０４を備える。複数の凹部３０４に複数の凸部９４Ａが嵌め合わせられることによりヘッドキャップ３００が本体１０に装着され、本体１０の内部から外部に液体等が漏れにくくなる。
【００８４】
図１および図４を参照して、美容装置１の作用について説明する。
美容装置１の第１の形態によれば、美容装置１がユーザーにより例えば次のように使用される。第１の手順により、第１のヘッド１００が本体１０に装着される。第２の手順により、蓋１７（図５参照）が開けられる。第３の手順により、注入口１８（図５参照）から所定の量の発泡剤が空間８３Ａに注入される。第４の手順により、注入口１８または放出口１１２の一方から所定の量の水が空間８３Ａに注入される。第５の手順により、開口１２１が肌を向くようにヘッドケース１２０が肌に当てられる。第６の手順により、第１の操作部２１が操作され、駆動源１４がオフからオンに切り替えられる。
【００８５】
駆動源１４の駆動にともない泡生成機構８０および攪拌機構１１０に駆動力が伝達される。泡生成機構８０が駆動することにより泡が生成され、その泡が放出口１１２を通過して基盤１１１の表面側に供給される。このため、攪拌機構１１０と肌との間に泡が存在する状態が形成される。攪拌機構１１０はヘッドケース１２０に対して回転しながら上下方向に移動する。このため、攪拌機構１１０と肌との間に泡が存在する状態において、その泡が羽根１１３により攪拌され、攪拌機構１１０と肌との間で泡が動くことにより肌の汚れが泡により除去される。
【００８６】
このように、美容装置１によれば、肌の汚れを除去することに対して、攪拌機構１１０により形成される泡の動きが大きく寄与する。このため、肌の汚れを落とすための他の手段が美容装置１に含まれなくとも、肌の汚れが十分に除去されやすい。他の美容装置として、例えば、肌の汚れを除去するための手段であるブラシを備える美容装置が挙げられる。この美容装置によれば、ブラシが肌に強く押し付けられることにより、肌に強い刺激を与えるおそれがある。一方、美容装置１は肌に強い刺激を与えるおそれがあるブラシが含まれないため、上記他の美容装置と比較して、肌に強い刺激を与えにくい。
【００８７】
美容装置１の第１の形態によれば、さらに以下の使用形態をユーザーに提供できる。肌に塗られた化粧をしっかり除去することがユーザーにより希望される場合、第１の手順と第２の手順との間に次の付加手順が付加される。第１の付加手順により、第２の操作部２２が操作され、温熱機構３０がオフからオンに切り替えられる。第１の付加手順の後の手順である第２の付加手順により、ヒーター３１（図３参照）により温められた温熱面３６が肌に当てられる。このため、肌が温められ、化粧が落ちやすくなる。温熱機構３０により肌が一定時間にわたって温められた後、第２の付加手順の後の手順である第３の付加手順により、第２の操作部２２が操作され、温熱機構３０がオンからオフに切り替えられる。そして、第２の手順以降の手順により肌の汚れが除去される。
【００８８】
ユーザーが肌の汚れを一層しっかり除去することを希望する場合、ユーザーは美容装置１の第２の形態を選択できる。美容装置１の第２の形態によれば、美容装置１がユーザーにより例えば次のように使用される。第１の手順により、第２のヘッド２００（図１１参照）が本体１０に装着される。第２の手順、第３の手順、および、第４の手順により、第１の形態における第２の手順、第３の手順、および、第４の手順と同様の手順が行われる。第５の手順により、ブラシ２１３が肌に当てられる。第６の手順により、第１の操作部２１が操作され、駆動源１４がオフからオンに切り替えられる。
【００８９】
駆動源１４の駆動にともない泡生成機構８０およびブラシ機構２１０に駆動力が伝達される。泡生成機構８０が駆動することにより泡が生成され、その泡が放出口２１２Ａを通過して基盤２１１の表面側に供給される。このため、ブラシ２１３と肌との間に泡が存在する状態が形成される。ブラシ２１３はヘッドケース２２０に対して回転する。このため、ブラシ２１３と肌との間に泡が存在する状態において、ブラシ２１３が肌を擦ることにより肌の汚れがブラシ２１３および泡により除去される。
【００９０】
実施の形態の美容装置１によればさらに以下の効果が得られる。
（１）美容装置１の第１のヘッド１００によれば、攪拌機構１１０の周囲がヘッドケース１２０により覆われる。このため、攪拌機構１１０に供給された泡、または、攪拌機構１１０により攪拌された泡が周囲に飛び散りにくい。このため、美容装置１の利便性が向上する。
【００９１】
（２）美容装置１の第１のヘッド１００によれば、攪拌機構１１０がヘッドケース１２０に対して回転することにより泡が攪拌される。このため、例えば空気の流れを利用して泡が攪拌される場合と比較して、攪拌機構１１０により泡が均等に攪拌されやすい。
【００９２】
（３）攪拌機構１１０がヘッドケース１２０に対して開口１２１に接近する方向および開口１２１から離間する方向に移動できるように攪拌機構１１０が支持部１２２に支持される。このため、ヘッドケース１２０に対して攪拌機構１１０が移動することにより、攪拌機構１１０の表面側に供給された泡が攪拌される。このため、攪拌機構１１０と肌との間で泡が動くことにより、肌の汚れが泡により除去される。
【００９３】
（４）支持部１２２は、攪拌機構１１０が開口１２１から突出しないように攪拌機構１１０の位置を規制する規制部である第１の規制部１２２Ｂを備える。このため、開口１２１が肌を向くようにヘッドケース１２０が肌に接触した場合、攪拌機構１１０がヘッドケース１２０と肌との接触面よりも肌から離れた位置に存在する。このため、攪拌機構１１０が肌に接触しにくい。このため、攪拌機構１１０が肌に刺激を与えるおそれが低減される。
【００９４】
（５）美容装置１の第１のヘッド１００によれば、基盤１１１の中心部に形成される放出口１１２から基盤１１１の表面側に泡が供給されるため、基盤１１１の表面側の各部分に均等に泡が供給されやすい。また、基盤１１１の表面側に供給された泡が放射状に形成される複数の羽根１１３により攪拌されるため、泡が一層均等に攪拌されやすい。
【００９５】
（６）発泡剤と水とが十分に混合されていない状態で泡が生成されることがある。その泡は、発泡剤と水とが十分に混合されることにより生成された泡と比較して重い。美容装置１の第１のヘッド１００によれば、基盤１１１の外周部分に複数の還元口１１６が形成される。このため、そのような重い泡が攪拌機構１１０の表面側に供給された場合、その泡が攪拌機構１１０の回転にともない遠心力により還元口１１６を通過して空間８３Ａに流れる。このため、攪拌機構１１０の表面に重い泡が溜まりにくい。なお、発泡剤と水とが十分に混合されずに液体が生成され、その液体が攪拌機構１１０の表面側に供給された場合においても同様の効果が得られる。
【００９６】
また、還元口１１６を通過して空間８３Ａ内に戻された液体および重い泡は、泡生成機構８０により再び攪拌される。このため、発泡剤と水とが十分に混合された泡が生成されやすくなる。さらに、放出口１１２から攪拌機構１１０の表面側に過剰に泡が供給された場合であっても、その泡が還元口１１６を通過して空間８３Ａに流れるため、泡が開口１２１から溢れにくくなる。
【００９７】
（７）美容装置１の第１のヘッド１００によれば、開口１２１から離間する方向に攪拌機構１１０を押す弾性部材１３０を備える。このため、例えば攪拌機構１１０の裏面側である空間８３Ａに多量の泡が滞留していてもヘッドケース１２０に対する攪拌機構１１０の移動が妨げられにくい。このため、攪拌機構１１０による泡を攪拌する機能が低下するおそれが低減される。
【００９８】
（８）美容装置１の本体１０によれば、第１のヘッド１００が装着された場合、駆動源１４のトルクがカムギア９１により第１のヘッド１００に伝達され、攪拌機構１１０が動作する。また、美容装置１の本体１０によれば、第１のヘッド１００に代えて第２のヘッド２００を装着できる。第２のヘッド２００が本体１０に装着された場合、駆動源１４のトルクがリングギア９３により第２のヘッド２００に伝達され、第２のヘッド２００の機能部品が攪拌機構１１０よりも低い回転速度で回転する。このように、第１のヘッド１００の攪拌機構１１０が第２のヘッド２００の機能部品よりも高い速度で回転するため、回転速度の関係がこれ以外の関係に設定される場合と比較して、攪拌機構１１０に供給された泡がより確実に攪拌される。
【００９９】
（９）駆動源１４は泡生成機構８０および攪拌機構１１０の両方を駆動する。この構成によれば、泡生成機構８０および攪拌機構１１０を駆動する駆動源が個々に存在する場合と比較して、美容装置１が小型化される可能性、および、美容装置１の製造にかかるコストが低減される可能性が高められる。
【０１００】
（１０）制御部１６は駆動源１４が駆動している場合に温熱機構３０を駆動させない。この構成によれば、泡生成機構８０および攪拌機構１１０が肌の洗浄に使用され、温熱機構３０が使用されていない場合に温熱機構３０に電力が供給されないため、電力が浪費されにくい。
【０１０１】
（１１）制御部１６は温熱機構３０が駆動している場合に駆動源１４を駆動させない。この構成によれば、温熱機構３０が肌を温めるために使用され、泡生成機構８０および攪拌機構１１０が使用されていない場合に駆動源１４に電力が供給されないため、電力が浪費されにくい。また、肌に向けられていない攪拌機構１１０から泡が吐出されるおそれが低減される。
【０１０２】
（１２）ブラシ２１３が柔らかい材質を有する。この構成によれば、ブラシ２１３の材質が硬い場合と比較して、肌に強い刺激が与えられにくい。
（１３）第２の伝達ブロック９０がブラシ機構２１０に伝達する回転速度は、第１の伝達ブロック５０が攪拌機構１１０に伝達する回転速度よりも低い。この構成によれば、各回転速度の関係が上記関係と異なる場合と比較して、肌に強い刺激が与えられにくい。
【０１０３】
（１４）第１の操作部２１がハウジング１１のうちのキャップ１２側に形成され、第２の操作部２２がハウジング１１のうちの温熱機構３０側に形成される。この構成によれば、第１の操作部２１の操作により駆動される第１のヘッド１００または第２のヘッド２００と第１の操作部２１との距離が、第２の操作部２２と第１のヘッド１００または第２のヘッド２００との距離よりも短い。また、第２の操作部２２により駆動される温熱機構３０と第２の操作部２２との距離が、第１の操作部２１と温熱機構３０との距離よりも短い。このため、ユーザーは操作部２０の操作により駆動する機構と操作部２０との対応関係を直感的に認識しやすく、操作部２０を誤操作しにくい。
【０１０４】
（変形例）
実施の形態に関する説明は本発明に従う美容装置、その本体、および、そのヘッドが取り得る形態の例示であり、その形態を制限することを意図していない。本発明に従う美容装置、その本体、および、そのヘッドは実施の形態以外に例えば以下に示される実施の形態の変形例、および、相互に矛盾しない少なくとも２つの変形例が組み合わせられた形態を取り得る。
【０１０５】
・変形例の制御部１６は、駆動源１４と温熱機構３０とが併せて駆動することを回避するために無効制御を実行する。一例では無効制御は第１の無効制御および第２の無効制御を含む。第１の無効制御は駆動源１４が駆動している場合に第２の操作部２２からオン信号が入力されたとき、そのオン信号を受け付けない。第２の無効制御は温熱機構３０が駆動している場合に第１の操作部２１からオン信号が入力されたとき、そのオン信号を受け付けない。
【０１０６】
・変形例の美容装置１によれば、駆動源１４が各ヘッド１００、２００に搭載される。
・泡生成機構８０および攪拌機構１１０を駆動するための構造は任意の選択事項である。一例によれば、駆動源１４に代えて、泡生成機構８０を駆動する第１の駆動源、および、攪拌機構１１０を駆動する第２の駆動源が本体１０に搭載される。別の一例によれば、第１の駆動源および第２の駆動源の少なくとも一方が各ヘッド１００、２００に搭載される。
【０１０７】
・第１の駆動源および第２の駆動源を備える上記変形例の美容装置１はさらに次の形態を取り得る。操作部２０は、第１の駆動源のオンおよびオフを切り替える第１の操作部、第２の駆動源のオンおよびオフを切り替える第２の操作部、ならびに、温熱機構３０のオンおよびオフを切り替える第３の操作部を備える。この場合、制御部１６は第１の操作部、第２の操作部、または、第３の操作部から出力される操作信号に基づいて第１の駆動源、第２の駆動源、および、温熱機構３０を制御する。一例では、制御部１６は、実施の形態に示される禁止制御に準じた禁止制御、および、上記変形例に示される無効制御に準じた無効制御の少なくとも一方をさらに実行する。
【０１０８】
禁止制御は次に示される第１〜第４の禁止制御の少なくとも１つを含む。第１の禁止制御は第１の駆動源が駆動している場合に温熱機構３０の駆動を禁止する。第２の禁止制御は第２の駆動源が駆動している場合に温熱機構３０の駆動を禁止する。第３の禁止制御は温熱機構３０が駆動している場合に第１の駆動源の駆動を禁止する。第４の禁止制御は温熱機構３０が駆動している場合に第２の駆動源の駆動を禁止する。
【０１０９】
無効制御は次に示される第１〜第４の無効制御の少なくとも１つを含む。第１の無効制御は第１の駆動源が駆動している場合に第３の操作部からオン信号が出力されたとき、そのオン信号を受け付けない。第２の無効制御は第２の駆動源が駆動している場合に第３の操作部からオン信号が出力されたとき、そのオン信号を受け付けない。第３の無効制御は温熱機構３０が駆動している場合に第１の操作部からオン信号が出力されたとき、そのオン信号を受け付けない。第４の無効制御は温熱機構３０が駆動している場合に第２の操作部からオン信号が出力されたとき、そのオン信号を受け付けない。
【０１１０】
・変形例の美容装置１によれば、注入口１８が本体１０から省略される。この場合、例えば放出口１１２から発泡剤が空間８３Ａに注入される。この変形例によれば、美容装置１は蓋１７が省略された構成を取り得る。
【０１１１】
・美容装置１の本体１０に装着可能なヘッドの種類は任意の選択事項である。一例によれば、第１のヘッド１００と実質的に同じ構成を備え、ヘッド装着部９４に装着されることにより第２の伝達機構と接続される第３のヘッドが本体１０に装着される。第３のヘッドが使用される場合、第１のヘッド１００とは異なる泡の攪拌作用が得られる。このため、ユーザーは肌の状態等に応じて美容装置１の使用形態を選択できる。別の一例によれば、第１のヘッド１００および第２のヘッド２００と異なる機能を備える第４のヘッドが本体１０に装着される。第４のヘッドはヘッド装着部９４に装着されることにより第１の伝達機構または第２の伝達機構と接続される。
【０１１２】
・変形例の美容装置１によれば、第１の伝達機構および第２の伝達機構の一方が本体１０から省略される。
・変形例の美容装置１によれば、本体１０と第１のヘッド１００とが一体的に構成される。このため、ユーザーが第１のヘッド１００をヘッド装着部９４から任意に取り外すことができない。なお、この変形例によれば、美容装置１は第１の伝達機構および第２の伝達機構の一方が省略された構成を取り得る。
【０１１３】
・変形例の第１のヘッド１００は、弾性部材１３０に代えてまたは加えて、嵌合部１１４と第２の規制部１２２Ｃとの間に配置され、開口１２１から離間する方向に攪拌機構１１０を引っ張る弾性部材を備える。
【０１１４】
・変形例の美容装置１によれば、弾性部材１３０が各ヘッド１００、２００から省略される。
・攪拌機構１１０における還元口１１６の形成位置は任意の選択事項である。一例によれば、基盤１１１のうちの放出口１１２まわりに還元口１１６が形成される。
【０１１５】
・攪拌機構１１０における還元口１１６の数は任意の選択事項である。一例によれば、還元口１１６の数は１つである。別の一例によれば、還元口１１６が攪拌機構１１０から省略される。
【０１１６】
・攪拌機構１１０における放出口１１２の形成態様は任意の選択事項である。一例によれば、放出口１１２に加えて別の放出口が基盤１１１に形成される。別の一例によれば、放出口１１２に代えて基盤１１１の中央部とは別の箇所に放出口が形成される。
【０１１７】
・攪拌機構１１０に形成される羽根１１３の数は任意の選択事項である。変形例の攪拌機構１１０は１枚〜７枚のいずれかの枚数、または、９枚以上のいずれか枚数の羽根１１３を備える。
【０１１８】
・変形例のヘッドケース１２０は開口１２１の縁に形成される１つまたは複数の桟をさらに備える。桟は開口１２１から肌が配置される空間に向けて突き出る。この変形例によれば、桟が肌に接触することにより攪拌機構１１０が肌に一層接触しにくくなる。
【０１１９】
・変形例の美容装置１によれば、ヘッドケース１２０が第１のヘッド１００から省略される。
・第１のヘッド１００に搭載される攪拌構造の内容は任意の選択事項である。変形例の第１のヘッド１００は、ヘッドケース１２０に対して回転および移動することにより泡を攪拌する攪拌機構１１０に代えて、別の攪拌構造を備える。別の攪拌構造の第１の例によれば、第１のヘッド１００は、ヘッドケース１２０に対して回転可能かつ移動不能な状態で攪拌機構を支持する支持部、および、その支持部に支持される攪拌機構を備える。別の攪拌構造の第２の例によれば、第１のヘッド１００は、ヘッドケース１２０に対して回転不能かつ移動可能な状態で攪拌機構を支持する支持部、および、その支持部に支持される攪拌機構を備える。別の攪拌構造の第３の例によれば、第１のヘッド１００は、開口１２１に風を供給するファンである攪拌機構を備える。
【０１２０】
・ハウジング１１における温熱面３６の形成位置は任意の選択事項である。一例によれば、ハウジング１１の正面または背面に温熱面３６が形成される。
・変形例の美容装置１によれば、温熱機構３０が本体１０から省略される。
【０１２１】
・駆動機構４０が泡生成機構８０を備えるか否かは任意の選択事項である。一例によれば、第１の伝達ブロック５０および泡生成機構８０が駆動機構４０から省略される。この場合、例えば駆動源１４の出力軸１４Ａの回転が複数のギアによりカムギア９１およびプラネタリギア９２に伝達される。この変形例の美容装置１が使用される場合、ユーザー自身または別の手段により肌に泡が供給される。
【０１２２】
・発泡剤の種類は任意の選択事項である。一例によれば、発泡剤は発泡性の剤と水とが混合された液状の剤、または、ジェル状の剤である。発泡性の剤の一例は洗顔料、石鹸、または、シャンプーである。液状の剤またはジェル状の剤である発泡剤が用いられる場合、空間８３Ａに水を注入する必要がないため、美容装置１を使用するためのユーザーの手間が簡素化される。
【０１２３】
（課題を解決するための手段に関する付記）
〔付記１〕泡を攪拌する攪拌機構を備えるヘッドと、前記ヘッドの着脱が可能なヘッド装着部、前記ヘッドを駆動する駆動力を出力する駆動源、および、泡を生成して前記ヘッドに供給する泡生成機構を備える本体とを備える、美容装置。
【０１２４】
〔付記２〕前記ヘッドは泡が通過する開口を形成するヘッドケースをさらに備え、前記ヘッドケースは前記攪拌機構を支持する支持部を備える、付記１に記載の美容装置。
〔付記３〕前記支持部は前記ヘッドケースに対する回転および移動の少なくとも一方の動作が可能な状態で前記攪拌機構を支持する、付記２に記載の美容装置。
【０１２５】
〔付記４〕前記ヘッドケースは前記攪拌機構が前記開口から突出しないように前記攪拌機構の位置を規制する規制部を備える、付記２または３に記載の美容装置。
〔付記５〕前記本体は前記泡生成機構と繋がり、発泡剤が注入される注入口をさらに備え、前記攪拌機構は前記泡生成機構と繋がり、前記泡生成機構により生成された泡が通過する放出口を備える、付記１〜４のいずれか一項に記載の美容装置。
【０１２６】
〔付記６〕前記注入口と前記放出口とが連通する、付記５に記載の美容装置。
〔付記７〕前記駆動源は前記攪拌機構および前記泡生成機構の両方を駆動する、付記１〜６のいずれか一項に記載の美容装置。
【０１２７】
〔付記８〕泡を攪拌する攪拌機構を備えるヘッドと、泡を生成して前記ヘッドに供給する泡生成機構と、前記攪拌機構および前記泡生成機構を駆動する駆動源と、熱を出力する温熱機構と、前記駆動源および前記温熱機構を制御する制御部とを備え、前記制御部は前記駆動源および前記温熱機構の一方が駆動している場合に前記駆動源および前記温熱機構の他方を駆動させない、美容装置。
【０１２８】
〔付記９〕泡を攪拌する攪拌機構を備えるヘッドと、泡を生成して前記ヘッドに供給する泡生成機構と、前記攪拌機構および前記泡生成機構を駆動する駆動源と、熱を出力する温熱機構と、前記駆動源のオンおよびオフを切り替える第１の操作部と、前記温熱機構のオンおよびオフを切り替える第２の操作部と、前記第１の操作部または前記第２の操作部から出力される操作信号に基づいて前記駆動源および前記温熱機構を制御する制御部とを備え、前記制御部は前記駆動源が駆動している場合、前記第２の操作部から出力される前記操作信号を受け付けない無効制御を実行する、美容装置。
【０１２９】
〔付記１０〕泡を攪拌する攪拌機構を備えるヘッドと、泡を生成して前記ヘッドに供給する泡生成機構と、前記攪拌機構および前記泡生成機構を駆動する駆動源と、熱を出力する温熱機構と、前記駆動源のオンおよびオフを切り替える第１の操作部と、前記温熱機構のオンおよびオフを切り替える第２の操作部と、前記第１の操作部または前記第２の操作部から出力される操作信号に基づいて前記駆動源および前記温熱機構を制御する制御部とを備え、前記制御部は前記温熱機構が駆動している場合、前記第１の操作部から出力される前記操作信号を受け付けない無効制御を実行する、美容装置。
【産業上の利用可能性】
【０１３０】
本発明は家庭用の美容装置および業務用の美容装置をはじめとして各種の美容装置に適用できる。
【符号の説明】
【０１３１】
１      ：美容装置
１０    ：本体
１４    ：駆動源
９１    ：カムギア（第１の伝達機構）
９３    ：リングギア（第２の伝達機構）
９４    ：ヘッド装着部
１００  ：第１のヘッド
１１０  ：攪拌機構
１１１  ：基盤
１１２  ：放出口
１１３  ：羽根
１１６  ：還元口
１２０  ：ヘッドケース
１２１  ：開口
１２２  ：支持部
１２２Ａ：第１の規制部（規制部）
１３０  ：弾性部材
２００  ：第２のヘッド
【図１】
0006376396.tif 000002
【図２】
0006376396.tif 000003
【図３】
0006376396.tif 000004
【図４】
0006376396.tif 000005
【図５】
0006376396.tif 000006
【図６】
0006376396.tif 000007
【図７】
0006376396.tif 000008
【図８】
0006376396.tif 000009
【図９】
0006376396.tif 000010
【図１０】
0006376396.tif 000011
【図１１】
0006376396.tif 000012
【図１２】
0006376396.tif 000013
【図１３】
0006376396.tif 000014
【図１４】
0006376396.tif 000015